【手続補正書】
【提出日】平成27年7月23日(2015.7.23)
【手続補正１】
【補正対象書類名】特許請求の範囲
【補正対象項目名】全文
【補正方法】変更
【補正の内容】
【特許請求の範囲】
【請求項１】
第１電極と第２電極との間に発光層を有する複数の有機ＥＬ素子が基板上に配置された領域を有する照明装置であって、
第１の方向に延在し、前記第１の方向と交差する第２の方向に互いに並列する複数の第１配線と、
前記第２の方向に延在し、前記複数の第１配線の一方の端部が接続された第２配線と、
前記第２の方向に延在し、前記第２配線よりも外側に設けられ一方の端部が前記第２配線に接続された第３配線と、
前記第３配線の他方の端部が接続された第１端子部と、
前記第１の方向と前記第２の方向とに延在し、少なくとも前記領域に亘って形成された第４配線と、
前記第２の方向に延在し、前記第３配線よりも外側に設けられた第５配線と、
前記第１の方向に延在し、前記第２の方向における前記第１端子部と反対側において、
前記第４配線の一方の端部に電気的に接続され、且つ前記第５配線の一方の端部に接続された第６配線と、
前記第４配線の前記第２の方向における他方の端部が接続された第２端子部と、
前記第５配線の他方の端部が接続された第３端子部と、を備え、
前記第１電極は、前記複数の第１配線のいずれかに接続され、
前記第４配線の一部が前記第２電極として機能していることを特徴とする照明装置。
【請求項２】
第１電極と第２電極との間に発光層を有する複数の有機ＥＬ素子が基板上に配置された領域を有する照明装置であって、
第１の方向に延在し、前記第１の方向と交差する第２の方向に互いに並列する複数の第１配線と、
前記第２の方向に延在し、前記複数の第１配線の一方の端部が接続された第２配線と、
前記第２の方向に延在し、前記第２配線よりも外側に設けられ一方の端部が前記第２配線に接続された第３配線と、
前記第３配線の他方の端部が接続された第１端子部と、
少なくとも前記領域において、前記第２の方向に延在し、前記第１の方向に間隔をおいて互いに並列する複数の第４配線枝部を有する第４配線と、
前記第２の方向に延在し、前記第３配線よりも外側に設けられた第５配線と、
前記第１の方向に延在し、前記第２の方向における前記第１端子部と反対側において、
前記複数の第４配線枝部の一方の端部に電気的に接続され、且つ前記第５配線の一方の端部に接続された第６配線と、
前記複数の第４配線枝部の前記第２の方向における他方の端部が接続された第２端子部と、
前記第５配線の他方の端部が接続された第３端子部、を備え、
前記第１電極は、前記複数の第１配線のいずれかに接続され、
前記第４配線枝部の一部が前記第２電極として機能し、
前記有機ＥＬ素子は、前記複数の第１配線と前記複数の第４配線枝部との交差部に対応して設けられていることを特徴とする照明装置。
【請求項３】
前記第２の方向に延在し、前記複数の第１配線の他方の端部が接続された第７配線と、
前記第２の方向に延在し、前記第７配線よりも外側に設けられ一方の端部が前記第７配線に接続された第８配線と、
前記第８配線の他方の端部が接続された第４端子部と、
前記第８配線の外側に設けられ一方の端部が前記第６配線と接続された第９配線と、
前記第９配線の他方の端部が接続された第５端子部と、を備え、
前記第２の方向において、前記第１端子部及び前記第２端子部及び第３端子部及び第４端子部並びに前記第５端子部が同じ側に配置されていることを特徴とする請求項１または２に記載の照明装置。
【請求項４】
前記複数の第１配線のうち、前記領域の中央側に位置する少なくとも１つの第１配線が他の第１配線よりも幅が大きいことを特徴とする請求項１乃至３のいずれか一項に記載の照明装置。
【請求項５】
前記複数の第１配線、前記第２配線、前記第３配線、前記第５配線、前記第６配線、前記第７配線、前記第８配線、前記第９配線は、前記基板上において同層に設けられていることを特徴とする請求項３または４に記載の照明装置。
【請求項６】
前記複数の第１配線は、少なくとも前記領域に亘って設けられ、
前記第２配線、前記第３配線、前記第５配線、前記第６配線、前記第７配線、前記第８配線、前記第９配線は、前記領域の外側に設けられていることを特徴とする請求項３乃至５のいずれか一項に記載の照明装置。
【請求項７】
前記第３配線の幅は前記第２配線よりも大きく、
前記第８配線の幅は前記第７配線よりも大きいことを特徴とする請求項３乃至６のいずれか一項に記載の照明装置。
【請求項８】
前記第５配線の幅は前記第３配線と同等で、
前記第９配線の幅は前記第８配線と同等であることを特徴とする請求項３乃至６のいずれか一項に記載の照明装置。
【請求項９】
前記基板上の前記複数の第１配線を覆う絶縁層と、
前記複数の第１配線と重なる前記絶縁層の部分に設けられた複数のコンタクトホールと、を備え、
前記第１電極は、前記複数の第１配線のうちの１つの第１配線と重なって設けられ、前記複数のコンタクトホールのうち少なくとも１つのコンタクトホール内に形成された導電膜により前記１つの第１配線と電気的に接続されていることを特徴とする請求項１乃至８のいずれか一項に記載の照明装置。
【請求項１０】
前記複数の第１配線は、光反射性を有する導電材料により構成され、
前記第１電極及び前記第４配線は、光透過性を有する導電材料により構成されていることを特徴とする請求項９に記載の照明装置。
【請求項１１】
前記少なくとも１つのコンタクトホール内に形成された導電膜は、前記第１電極と同じ光透過性を有する導電材料で構成されていることを特徴とする請求項１０に記載の照明装置。
【請求項１２】
前記第１の方向に延在し、前記第４配線と前記第２端子部とを電気的に接続させる第１０配線を有し、
前記第１０配線は、前記第４配線よりも低抵抗な導電材料により構成されていることを特徴とする請求項１乃至１１のいずれか一項に記載の照明装置。
【請求項１３】
前記第１０配線は、前記領域よりも外側に設けられ、前記基板上において、前記複数の第１配線、前記第２配線、前記第３配線、前記第５配線、前記第６配線、前記第７配線、前記第８配線、前記第９配線と同層に形成されていることを特徴とする請求項１２に記載の照明装置。
【請求項１４】
複数の発光素子を有する照明装置であって、
所定の電位が与えられた端子から前記複数の発光素子の中の第1の発光素子の陰極までの電極長さが、前記所定の電位が与えられた端子から前記複数の発光素子の中の第２の発光素子の陰極までの電極長さよりも長い場合に、
前記所定の電位よりも高電位の電位が与えられた端子から前記第1の発光素子の陽極までの電極長さが、前記高電位の電位が与えられた端子から前記第２の発光素子の陽極までの電極長さよりも長いことを特徴とする、照明装置。
【請求項１５】
前記発光素子は有機ＥＬ素子であることを特徴とする照明装置。
【請求項１６】
請求項１乃至１５のいずれか一項に記載の照明装置を備えたことを特徴とする電子機器。
【請求項１７】
請求項１乃至１５のいずれか一項に記載の照明装置と、
前記照明装置によって照明された被写体の画像を撮像する受光素子と、を備えたことを特徴とする撮像装置。
【請求項１８】
請求項１乃至１５のいずれか一項に記載の照明装置と、
前記照明装置によって照明された被写体の画像を撮像する受光素子と、
前記受光素子の検出結果によって検査を行う制御部と、を備えたことを特徴とする検査装置。